(57)【要約】      （修正有）【課題】弾丸が命中した破砕型標的は破砕片となって標的支持体から飛散するので、弾丸の的中を射撃位置から容易に確認できるし、構成が簡単で極めて安価であり、標的支持体への標的の取着作業も容易で、更に破砕片は生分解するので環境汚染の無い破砕型標的具を提供する。【解決手段】標的支持体１は、紙製のシート状支持材２と、シート状支持材２に形成する切込みにより周方向に離間して設けた複数の標的支持部３とから構成してある。各標的支持部３は、シート状支持材２から先端側にかけて起立可能な３個の係止片５からなり、先端側外面は破砕型標的１１と同色の黒色着色面にしてある。生分解性プラスチックであるポリヒドロキシブチレートにより成形した破砕型標的１１は、各係止片５に外縁側１１Ａを係止することにより係着する。【選択図】図４
0003173623.tif 000002
【実用新案登録請求の範囲】
【請求項１】
標的支持体は、シート状支持材と、該シート状支持材に形成する切込みにより周方向に離間して設けた複数の標的支持部とから構成し、破砕型標的は該各標的支持部に外縁側を係止することにより保持するようにし、かつ該破砕型標的は生分解性硬質プラスチックにより成形してなる破砕型標的具。
【請求項２】
前記各標的支持部は、前記シート状支持材から先端側にかけて起立可能な係止片からなることを特徴とする請求項１記載の破砕型標的具。
【請求項３】
前記シート状支持材は、強度性のある紙類で成形してあることを特徴とする請求項１記載の破砕型標的具。
【請求項４】
前記係止片は、前記破砕型標的の外縁側に重なる先端側外面を該破砕型標的と同色の着色面にしてあることを特徴とする請求項２記載の破砕型標的具。
【請求項５】
前記シート状支持材に、前記標的支持部の内側に位置して小径の破砕型標的を取着する第２の標的支持部を設けてあることを特徴とする請求項１記載の破砕型標的具。
【請求項６】
前記破砕型標的は、ポリヒドロキシブチレートにより成形したものであることを特徴とする請求項１記載の破砕型標的具。
【考案の詳細な説明】
【技術分野】
【０００１】
本考案は、ライフル銃、その他の各種の銃による射撃に用いる標的に関し、殊に被弾による破砕片が生分解することで環境汚染を解消し、破砕片の除去作業を不要にする破砕型標的具に関する。
【背景技術】
【０００２】
例えば、ライフル銃による射撃の標的具には、標的面が黒色、裏面が白色の金属製標的を白色の標的板に横方向に回転可能なように上下の位置で枢支し、弾丸が当った標的は反転して白色の裏面が表れるようにした反転型標的具、標的板に例えば両面粘着シートを用いて陶器製或いは合成樹脂製の破砕型標的を貼着し、弾丸が当った標的が破砕するようにした貼着型標的具が使用されている。また、弾丸が命中した標的は破壊されることなく落下するようにしたソフトエアガン用バイアスロン式ターゲット装置（特許文献１）が提案されている。
【先行技術文献】
【特許文献】
【０００３】
【特許文献１】特開２０１０−３８４７３公報
【特許文献２】登録第３１６３８６０号実用新案公報
【考案の概要】
【考案が解決しようとする課題】
【０００４】
特許文献１の反転型標的具は、弾丸の当たり場所によっては標的が１８０度確実に反転しないために射撃位置からは弾丸の命中を誤認する欠点、標的の取着が面倒という欠点がある。また、貼着型標的具は、命中によって破砕した標的の破砕片の一部が標的ボードに貼着したままの状態になり、大きい破砕片が残った場合には射撃位置から確実に命中したかを確認できないという欠点がある。また、特許文献１に記載の装置は、構成が複雑で、高価であり、取扱いが簡便でないといった欠点がある。
【０００５】
また、特許文献２の破砕型標的具は、弾丸が命中した標的は破砕片となって標的支持体から確実に飛散するので弾丸の命中を射撃位置から容易に確認できるし、簡単な構成なので極めて安価であると共に、標的支持体への標的の取着が容易であり、しかも径の異なる破砕型標的も使用することができるという幾多の優れた点を有する。しかし、破砕片は標的支持体の下の地面に落下したままで環境を汚染することから、その解消のための除去作業を要するという未解決の問題点ある。
【０００６】
本考案は上述した従来技術の欠点や未解決の問題点に鑑みなされたものである。即ち、弾丸が命中した破砕型標的は破砕片となって標的支持体から確実に飛散するので弾丸の命中を射撃位置から容易に確認できるし、簡単な構成からなるので極めて安価であると共に、標的支持体への標的の取着が容易であり、また径の異なる破砕型標的も使用することができる。しかも被弾による破砕片が生分解することで環境汚染を解消し、破砕片の除去作業を不要にできる破砕型標的具を提供することを目的とする。
【課題を解決するための手段】
【０００７】
上述した課題を解決するために構成した本考案は、標的支持体は、シート状支持材と、該シート状支持材に形成する切込みにより周方向に離間して設けた複数の標的支持部とから構成し、破砕型標的は該各標的支持部に外縁側を係止することにより保持するようにし、かつ該破砕型標的は生分解性硬質プラスチックにより成形したことにある。
【０００８】
そして、前記各標的支持部は、前記シート状支持材から先端側にかけて起立可能な係止片からなる。
【０００９】
また、前記シート状支持材は、強度性のある紙類で成形するとよい。
【００１０】
また、前記係止片は、前記破砕型標的の外縁側に重なる先端側外面を該破砕型標的と同色の着色面にするとよい。
【００１１】
更に、前記シート状支持材に、前記標的支持部の内側に位置して小径の破砕型標的を取着する第２の標的支持部を設けるとよい。
【００１２】
また、前記破砕型標的は、ポリヒドロキシブチレートにより成形するとよい。
【考案の効果】
【００１３】
本考案は上述の如く構成したから、下記の諸効果を奏する。
（１）標的支持体は、破砕型標的の外縁側を複数の標的支持部で係止して保持する構成にしたから、弾丸が命中した破砕型標的の破砕片は確実に飛散するので、射撃位置から命中の有無を容易に、確実に確認することができる。
（２）破砕型標的は生分解性硬質プラスチックにより成形したから、被弾による破砕片は生分解することで環境を汚染することがないし、破砕片の除去作業が不要なので維持費を低減できる。
（３）各標的支持部は、シート状支持材に形成する切込みによる係止片からなるから、標的具としての構成が単純で、安価であるし、標的支持体に破砕型標的を取着する作業が極めて容易であり、効率的に行うことができる。
（４）シート状支持材は、強度性のある紙類で成形することで、破砕型標的を確実に保持することができ、しかも従来の標的具に比べて費用を大幅に低減できる。
（５）標的支持部を構成する係止片は、破砕型標的の外縁側と重なる先端側外面を破砕型標的と同色の着色面にすることにより、視覚上破砕型標的にとけ込むことで照準時や射撃時の視覚上での障害になる事態を解決してある。
（６）シート状支持材に標的支持部の内側に位置して小径の破砕型標的を取着する第２の標的支持部を設けたから、標的支持体は径の異なる破砕型標的にも用いることができ、立射と伏射の両方の射撃方法での使用、射撃精度を向上するための使用といった種々の使い方が可能である。
（７）破砕型標的は、硬度の高いポリヒドロキシブチレートにより成形するから、破砕型標的は被弾により確実に破砕し、しかも破砕片は自然に分解するので環境汚染が無いし、破砕片を除去する作業を不要にできる。
【図面の簡単な説明】
【００１４】
【図１】本考案の実施の形態に係り、一部を省略した破砕型標的具の全体構成図である。
【図２】破砕型標的具を構成する標的支持体の拡大図である。
【図３】係止片の拡大斜視図である。
【図４】標的支持体に破砕型標的を係止した状態の斜視図である。
【考案を実施するための形態】
【００１５】
以下、本考案の実施の形態を図面に基づき詳述する。図において、１は標的支持体、２は該標的支持体１を構成するシート状支持材を示し、該シート状支持材２は強度性があり、表面２Ａが白色の紙を横長の長方形に成形したものからなる。３、３、・・は、前記シート状支持材２の表面２Ａに横方向に離間して設けた複数個、本実施の形態では５個の標的支持部を示す。該各標的支持部３は、後述する破砕型標的１１の直径と同径の外輪線４Ａと、その内側に表した内輪線４Ｂとからなる位置表示輪４と、該位置表示輪４の周方向に１２０度の間隔を存し、位置表示輪４の中心に向けてシート状支持材２に形成した略台形状の３個の係止片５、５、５とから構成してある。
【００１６】
該各係止片５は、前記外輪線４Ａの外側から前記内輪線４Ｂに向けてシート状支持材２に略ハ字状に形成した左右一対の縦切込み５Ａ、５Ａと、内輪線４Ｂ上に位置して形成し、該両縦切込み５Ａ、５Ａの先端に連結する横切込み５Ｂとから構成してある。このような構成からなる３個の係止片５、５、５は、シート状支持材２から先端側５Ｃにかけて起立可能になっている。
【００１７】
６は各係止片５の先端側５Ｃの外面で、外輪線４Ａと内輪線４Ｂに囲まれる部分に設けた黒色着色面で、該黒色着色面６は破砕型標的１１と同じ黒色に着色して成形してあり、破砕型標的１１に対して係止片５の先端側５Ｃが視覚上とけ込むようにして照準時や射撃時の障害にならないようにしてある。
【００１８】
更に、７は、位置表示輪４の内側に位置してシート状支持材２の表面２Ａに設けた小径標的支持部を示す。該小型標的支持部７は、後述する破砕型標的１１を小径にした破砕型小径標的（図示せず。）の輪郭と同径に表した外輪線８Ａと、その内側に表した内輪線８Ｂとから形成した位置表輪８と、該位置表示輪８の周方向に１２０度の間隔を存し、位置表示輪８の中心に向けて形成した略台形状の３個の係止片９、９、９とから構成してある。
【００１９】
該各係止片９は、前記外輪線８Ａの外側から内輪線８Ｂに向けてシート状支持材２に略ハ字状に形成した左右一対の縦切込み９Ａ、９Ａと、前記内輪線８Ｂ上に位置して形成し、該両縦切込み９Ａ、９Ａの先端に連結する横切込み９Ｂとから構成してある。そして、３個の係止片９、９、９は位置表示輪８の中心に向いており、シート状支持材２から先端側９Ｃにかけて起立可能になっている。１０は各係止片９の先端側９Ｃ表面に着色した黒色着色面である。このように、各係止片９は係止片５と同様に構成してある。
【００２０】
更に、１１は直径が１１５ｍｍ、厚さが３ｍｍの黒色の円板からなる大径の破砕型標的を示す。該破砕型標的１１は生分解性プラスチック、本実施の形態では硬度の高いポリヒドロキシブチレートで成形することにより、外周縁１１Ａ側の端に弾丸が当たっても全体が破砕して飛散するので、標的への命中を容易に、確実に確認することができる。
【００２１】
そして、破砕型標的１１は、ポリヒドロキシブチレートにカーボン粉を混合して成型し、或いは成型後に塗料を塗布することで黒色に着色してある。なお、図３及び図４では、作図の線や符号引出し線を示すために係止片５の先端側５Ｃ及び破砕型標的１１は黒色に替えて便宜上灰色に表してある。また、例えば伏射により射撃を行う場合の標的には、破砕型小径標的を用いており、該破砕型小径標的は直径が４５ｍｍ、厚さが３ｍｍの円板からなり、大径の破砕型標的１１と同じ素材と製法で成形してある。
【００２２】
本実施の形態からなる破砕型標的具は上述の構成からなるもので、シート状支持材２は、地盤に立設する木製の標的ボード１３に画鋲やピン等の留め具１４、１４、・・で取着する。そして、シート状支持材２に破砕型標的１１を係着する場合は、３個の係止片５、５、５の先端側５Ｃを引き起し、各係止片５とシート状支持材２の間に形成した空隙に破砕型標的１１の外周縁１１Ａを嵌合させる。これにより、破砕型標的１１は３個の係止片５、５、５によって周方向に３点で係止するから、シート状支持部２に確実に、かつ安全性良く支持された状態になる。
【００２３】
射撃した弾丸が破砕型標的１１に命中すると、破砕型標的１１は衝撃によって破砕し、多数の破砕片になってシート状支持材１から飛散する。この場合、破砕型標的１１は外周縁１１Ａが周方向の３点で支持されているだけであるから、各破砕片は係止片５に保持されることなくシート状支持材２から確実に飛散する。かくして、弾丸が破砕型標的１１に確実に命中したことを正確に、速やかに確認することが出来る。
【００２４】
破砕型小径標的を第２の小径標的支持部７に係着して射撃した場合の破砕現象や飛散状況は上記と同じであるから、その詳細な説明は省略する。
【００２５】
なお、本実施の形態では、外輪線４Ａ（８Ａ）と内輪線４Ｂ（８Ｂ）からなる位置表示輪４（８）をシート状支持材２に表したが、位置表示輪４（８）は各係止片５（９）をシート状支持材２に設ける場合と、破砕型標的１１を係着させる際の位置の目安とするものであり、シート状支持材２に必ずしも明示して設ける必要はない。
【００２６】
また、本考案に係る破砕型標的具は、ライフル銃の標的具に限らずエアライフル銃等、弾丸で標的を射撃する銃器の標的具として用いることができるものである。
【符号の説明】
【００２７】
１        標的支持体
２        シート状支持材
３、７    標的支持部
５、９    係止片
６、１０  黒色着色面
１１    破砕型標的
【図１】
0003173623.tif 000003
【図２】
0003173623.tif 000004
【図３】
0003173623.tif 000005
【図４】
0003173623.tif 000006